(57)【要約】【課題】受信回路規模を大きくすることなく小型で異なる周波数を持つ複数の無線システムに対応可能とする優れたマルチモード直交変復調器及びマルチモード無線装置を提供する。【解決手段】マルチモード直交復調器は、２つ以上の中間周波数信号を中間周波数毎に切り替えるＩＦ信号切替スイッチ１と、２つ以上の局部発振周波数信号を切り替えるＬＯ信号切替スイッチ２と、ＩＦ信号とＬＯ信号とからベースバンド信号６ａ，６ｂに変換する直交復調部３と、ベースバンド信号６ａ，６ｂを帯域制限するベースバンドＬＰＦ４とを有する。【選択図】　図１
2004048529.tif 000002
【特許請求の範囲】
【請求項１】
２つ以上の中間周波数（ＩＦ）信号を中間周波数毎に切り替えるＩＦ信号切替スイッチと、２つ以上の局部発振周波数（ＬＯ）信号を切り替えるＬＯ信号切替スイッチと、前記ＩＦ信号と前記ＬＯ信号とからベースバンド信号に変換する直交復調部と、前記ベースバンド信号を帯域制限するベースバンドＬＰＦ（低域フィルタ）とを有するマルチモード直交復調器において、前記ベースバンドＬＰＦに通過帯域切替機能を備え、異なる無線周波数を持ち、ベースバンド信号の帯域が異なる複数の無線システムに対応可能なことを特徴とするマルチモード直交復調器。
【請求項２】
前記ベースバンドＬＰＦは、通過帯域特性を自律的に調整することを特徴とする請求項１記載のマルチモード直交復調器。
【請求項３】
前記ベースバンドＬＰＦは、所望の隣接チャネル選択度が得られるように通過帯域特性を調整することを特徴とする請求項２記載のマルチモード直交復調器。
【請求項４】
前記ベースバンドＬＰＦは、所望の復調精度が得られるように通過帯域特性を調整することを特徴とする請求項２記載のマルチモード直交復調器。
【請求項５】
前記ベースバンドＬＰＦは、受信ＯＦＦ区間に通過帯域特性を調整することを特徴とする請求項２記載のマルチモード直交復調器。
【請求項６】
前記ベースバンドＬＰＦは、Ａ／Ｄコンバータと、タップ係数変更可能なデジタルフィルタとを備えることを特徴とする請求項１〜請求項５のいずれかに記載のマルチモード直交復調器。
【請求項７】
請求項１〜請求項６のいずれかに記載のマルチモード直交復調器を用いる事により複数の無線システムに対応可能なことを特徴とするマルチモード無線装置。
【請求項８】
２つ以上の中間周波数（ＩＦ）信号を中間周波数毎に切り替えるＩＦ信号切替スイッチと、２つ以上の局部発振周波数（ＬＯ）信号を切り替えるＬＯ信号切替スイッチと、ベースバンド信号を帯域制限するベースバンドＬＰＦ（低域フィルタ）と、前記ベースバンド信号と前記ＬＯ信号とから前記ＩＦ信号に変換する直交変調部とを有するマルチモード直交変調器において、前記ベースバンドＬＰＦに通過帯域切替機能を備え、異なる無線周波数を持ち、ベースバンド信号の帯域が異なる複数の無線システムに対応可能なことを特徴とするマルチモード直交変調器。
【請求項９】
前記ベースバンドＬＰＦは、通過帯域特性を自律的に調整することを特徴とする請求項８記載のマルチモード直交変調器。
【請求項１０】
前記ベースバンドＬＰＦは、所望の隣接チャネル漏洩電力が得られるように通過帯域特性を調整することを特徴とする請求項９記載のマルチモード直交変調器。
【請求項１１】
前記ベースバンドＬＰＦは、所望の変調精度が得られるように通過帯域特性を調整することを特徴とする請求項９記載のマルチモード直交変調器。
【請求項１２】
前記ベースバンドＬＰＦは、送信ＯＦＦ区間に通過帯域特性を調整することを特徴とする請求項９記載のマルチモード直交変調器。
【請求項１３】
前記ベースバンドＬＰＦは、Ｄ／Ａコンバータと、タップ係数変更可能なデジタルフィルタとを備えることを特徴とする請求項８〜請求項１２のいずれかに記載のマルチモード直交変調器。
【請求項１４】
請求項８〜請求項１３のいずれかに記載のマルチモード直交変調器を用いる事により複数の無線システムに対応可能なことを特徴とするマルチモード無線装置。
【発明の詳細な説明】
【０００１】
【発明の属する技術分野】
本発明は異なる無線周波数を持つ複数の無線システムに対応可能なマルチモード直交変復調器及び無線装置に関する。
【０００２】
【従来の技術】
従来、マルチモード無線装置として、特開２０００−１３２７４号公報に記載されたものが知られている。このマルチモード無線装置は、基準周波数発振器から出力される基準周波数を入力して、所定の周波数を出力する第一局部発振器と、基準周波数発振器から出力される基準周波数と、モード制御信号を入力し、動作モードに基づいて所定の周波数を出力する第二局部発振器と、第二局部発振器からの出力を直交変調する直交変調器と、第一局部発振器からの出力と、直交変調器からの出力とから送信信号を生成する送信ＲＦアップコンバータと、受信信号を第一の中間周波数に変換する受信ＲＦダウンコンバータと、第一の中間周波数の出力と、第二局部発振器からの出力とを混合し、第二の中間周波数に変換する第二周波数変換器と、第一の中間周波数の出力と、第二局部発振器からの出力とを混合し、低周波信号に変換する直交復調器と、第二局部発振器と前記直交変換器との間に設けられ、モード制御信号を入力し、モード制御信号により分周数を可変させる第一の分周器とを備える。
【０００３】
【発明が解決しようとする課題】
しかしながら、上記従来のマルチモード無線装置においては、直交復調器もしくは２ｎｄ−ＩＦ周波数変換回路である受信ＩＦ信号処理部を無線システム毎に用意する必要があり、受信回路の増大という問題を有していた。
【０００４】
本発明は、上記従来の問題を解決するもので、受信回路規模を大きくすることなく小型で異なる周波数を持つ複数の無線システムに対応可能とする優れたマルチモード直交変復調器及びマルチモード無線装置を提供することを目的とする。
【０００５】
【課題を解決するための手段】
本発明のマルチモード直交復調器は、ベースバンドＬＰＦに通過帯域切替機能を備え、異なる無線周波数を持ち、ベースバンド信号の帯域が異なる複数の無線システムに対応可能な構成を有している。
この構成により、直交復調部を複数の無線システム共通化することにより、回路規模を増大させることなく異なる周波数を持つ複数の無線システムに対応可能とすることができる。
【０００６】
また、本発明のマルチモード直交復調器は、ベースバンドＬＰＦが、通過帯域特性を自律的に調整する構成を有している。
この構成により、直交復調部を複数の無線システム共通化することにより、回路規模を増大させることなく異なる周波数を持つ複数の無線システムに対応可能であり、かつベースバンドＬＰＦ特性を受信状態に最適に調整することができる。
【０００７】
さらに、本発明のマルチモード直交復調器は、ベースバンドＬＰＦが、所望の隣接チャネル選択度が得られるように通過帯域特性を調整する構成を有している。
この構成により、直交復調部を複数の無線システム共通化することにより、回路規模を増大させることなく異なる周波数を持つ複数の無線システムに対応可能とすることができる。
【０００８】
さらに、本発明のマルチモード直交復調器は、ベースバンドＬＰＦが、所望の復調精度が得られるように通過帯域特性を調整する構成を有している。
この構成により、直交復調部を複数の無線システム共通化することにより、回路規模を増大させることなく異なる周波数を持つ複数の無線システムに対応可能であり、かつベースバンドＬＰＦ特性を受信状態に最適に調整することができる。
【０００９】
さらに、本発明のマルチモード直交復調器は、ベースバンドＬＰＦが、受信ＯＦＦ区間に通過帯域特性を調整する構成を有している。
この構成により、直交復調部を複数の無線システム共通化することにより、回路規模を増大させることなく異なる周波数を持つ複数の無線システムに対応可能とすることができる。
【００１０】
さらに、本発明のマルチモード直交復調器は、ベースバンドＬＰＦが、Ａ／Ｄコンバータと、タップ係数変更可能なデジタルフィルタとを備える構成を有している。
この構成により、ベースバンドＬＰＦを更に小型化することができる。
【００１１】
本発明のマルチモード無線装置は、請求項１〜請求項６のいずれかに記載のマルチモード直交復調器を用いることにより複数の無線システムに対応可能な構成を有している。
この構成により、直交復調部を複数の無線システム共通化することにより、回路規模を増大させることなく異なる周波数を持つ複数の無線システムに対応可能なマルチモード無線装置を実現することができる。
【００１２】
本発明のマルチモード直交変調器は、ベースバンドＬＰＦに通過帯域切替機能を備え、異なる無線周波数を持ち、ベースバンド信号の帯域が異なる複数の無線システムに対応可能な構成を有している。
この構成により、直交変調部を複数の無線システム共通化することにより、回路規模を増大させることなく異なる周波数を持つ複数の無線システムに対応可能とすることができる。
【００１３】
また、本発明のマルチモード直交変調器は、ベースバンドＬＰＦが、通過帯域特性を自律的に調整する構成を有している。
この構成により、直交変調部を複数の無線システム共通化することにより、回路規模を増大させることなく異なる周波数を持つ複数の無線システムに対応可能とすることができる。
【００１４】
さらに、本発明のマルチモード直交変調器は、ベースバンドＬＰＦが、所望の隣接チャネル漏洩電力が得られるように通過帯域特性を調整する構成を有している。
この構成により、直交変調部を複数の無線システム共通化することにより、回路規模を増大させることなく異なる周波数を持つ複数の無線システムに対応可能とすることができる。
【００１５】
さらに、本発明のマルチモード直交変調器は、ベースバンドＬＰＦが、所望の変調精度が得られるように通過帯域特性を調整する構成を有している。
この構成により、直交変調部を複数の無線システム共通化することにより、回路規模を増大させることなく異なる周波数を持つ複数の無線システムに対応可能とすることができる。
【００１６】
さらに、本発明のマルチモード直交変調器は、ベースバンドＬＰＦが、送信ＯＦＦ区間に通過帯域特性を調整する構成を有している。
この構成により、直交変調部を複数の無線システム共通化することにより、回路規模を増大させることなく異なる周波数を持つ複数の無線システムに対応可能とすることができる。
【００１７】
さらに、本発明のマルチモード直交変調器は、ベースバンドＬＰＦが、Ｄ／Ａコンバータと、タップ係数変更可能なデジタルフィルタとを備える構成を有している。
この構成により、直交変調部を複数の無線システム共通化することにより、回路規模を増大させることなく異なる周波数を持つ複数の無線システムに対応可能とすることができる。
【００１８】
さらに、本発明のマルチモード直交変調器は、請求項８〜請求項１３のいずれかに記載のマルチモード直交変調器を用いることにより複数の無線システムに対応可能な構成を有している。
この構成により、直交変調部を複数の無線システム共通化することにより、回路規模を増大させることなく異なる周波数を持つ複数の無線システムに対応可能なマルチモード無線装置を実現することができる。
【００１９】
【発明の実施の形態】
以下、本発明の実施の形態について、図１から図４を用いて説明する。
本発明の第１の実施の形態のマルチモード直交復調器を示す構成図を図１に、ベースバンドＬＰＦを示す構成図を図２にそれぞれ示す。
【００２０】
図１及び図２において、マルチモード直交復調器は、２つ以上の中間周波数（ＩＦ）信号（ＩＦ−１，ＩＦ−２）を中間周波数毎に切り替えるＩＦ信号切替スイッチ１と、２つ以上の局部発振周波数（ＬＯ）信号（ＬＯ−１，ＬＯ−２）を切り替えるＬＯ信号切替スイッチ２と、ＩＦ信号とＬＯ信号とからベースバンド信号６ａ，６ｂに変換する直交復調部３と、ベースバンド信号６ａ，６ｂを帯域制限するベースバンドＬＰＦ（低域フィルタ）４とを有する。
【００２１】
ベースバンドＬＰＦ４は、システム切替信号５により通過帯域切替機能を有する。ＩＦ信号切替スイッチ１では異なる周波数のＩＦ信号（ＩＦ−１，ＩＦ−２）をシステム切替信号５により指定されたシステムのＩＦ信号（ＩＦ−１，ＩＦ−２）へ切り替える。同様にＬＯ信号切替スイッチ２では、指定されたシステムのＬＯ信号（ＬＯ−１，ＬＯ−２）に切り替える。直交復調部３では、ＩＦ信号切替スイッチ１により選択されたＩＦ信号（ＩＦ−１，ＩＦ−２）をＬＯ信号切替スイッチ２により選択されたＬＯ信号（ＬＯ−１，ＬＯ−２）で復調する。復調した信号は、ベースバンドＬＰＦ４によりシステム切替信号５に対応して帯域制限されたベースバンド信号６ａ，６ｂとなる。
【００２２】
以上のように本発明の第１の実施の形態によれば、ベースバンドＬＰＦ４に帯域切替機能追加、及びスイッチを２つ追加するのみで大きな回路を追加することなく異なる周波数を持つ複数の無線システムに対応可能なマルチモード直交復調器を実現できる。
【００２３】
また、本実施の形態ではベースバンドＬＰＦ４をアナログ回路で実現しているが、図２に示すデジタルＬＰＦ構成を用いる場合でも実現可能である。図２に示すデジタルＬＰＦ構成ではベースバンド信号６ａ，６ｂをＡ／Ｄ変換器７でデジタル信号９ａ，９ｂに変換後タップ係数変更可能なデジタルＬＰＦ８でフィルタリングすることでベースバンドＬＰＦ４と同等の作用を有する。このように、ベースバンドＬＰＦ４をＡ／Ｄ変換器７とデジタルＬＰＦ８とで実現することにより、ベースバンドＬＰＦ４の小型化が可能である。
【００２４】
また、ベースバンドＬＰＦ４を通過帯域特性を自律的に調整する構成にし、直交復調部３を複数の無線システム共通化することにより、回路規模を増大させることなく異なる周波数を持つ複数の無線システムに対応可能であり、かつベースバンドＬＰＦ特性を受信状態に最適に調整することができる。
【００２５】
また、ベースバンドＬＰＦ４を所望の隣接チャネル選択度が得られるように通過帯域特性を調整する構成にし、直交復調部３を複数の無線システム共通化することにより、回路規模を増大させることなく異なる周波数を持つ複数の無線システムに対応可能とすることができる。
【００２６】
また、ベースバンドＬＰＦ４を所望の復調精度が得られるように通過帯域特性を調整する構成にし、直交復調部３を複数の無線システム共通化することにより、回路規模を増大させることなく異なる周波数を持つ複数の無線システムに対応可能であり、かつベースバンドＬＰＦ特性を受信状態に最適に調整することができる。
【００２７】
また、ベースバンドＬＰＦ４を受信ＯＦＦ区間に通過帯域特性を調整する構成にし、直交復調部３を複数の無線システム共通化することにより、回路規模を増大させることなく異なる周波数を持つ複数の無線システムに対応可能とすることができる。
【００２８】
さらに、マルチモード無線装置に、本発明の第１の実施の形態のマルチモード直交復調器を用いることで、回路規模を増大させることなく異なる周波数を持つ複数の無線システムに対応可能な無線装置を実現することができる。
【００２９】
次に、本発明の第２の実施の形態のマルチモード直交変調器を示す構成図を図３に、ベースバンドＬＰＦを示す構成図を図４にそれぞれ示す。
【００３０】
図３及び図４において、マルチモード直交変調器は、２つ以上の中間周波数（ＩＦ）信号（ＩＦ−１，ＩＦ−２）を中間周波数毎に切り替えるＩＦ信号切替スイッチ１と、２つ以上の局部発振周波数（ＬＯ）信号（ＬＯ−１，ＬＯ−２）を切り替えるＬＯ信号切替スイッチ２と、ベースバンド信号１２ａ，１２ｂを帯域制限するベースバンドＬＰＦ（低域フィルタ）１１と、帯域制限したベースバンド信号１２ａ，１２ｂとＬＯ信号とからＩＦ信号に変換する直交変調部１０とを有する。
【００３１】
ベースバンドＬＰＦ１１は、システム切替信号５により通過帯域切替機能を有する。ベースバンド信号１２ａ，１２ｂは、システム切替信号５に対応した帯域制限が行われる。ＬＯ信号切替スイッチ２では、指定されたシステムのＬＯ信号（ＬＯ−１，ＬＯ−２）に切り替える。直交変調部１０ではベースバンド信号１２ａ，１２ｂをＬＯ信号切替スイッチ２により選択されたＬＯ信号（ＬＯ−１，ＬＯ−２）で直交変調する。ＩＦ信号切替スイッチ１では異なる周波数のＩＦ信号（ＩＦ−１，ＩＦ−２）をシステム切替信号５により指定されたシステムのＩＦ信号（ＩＦ−１，ＩＦ−２）へ切り替える。
【００３２】
以上のように本発明の実施の形態によれば、ベースバンドＬＰＦ１１に帯域制限切替機能追加、及びスイッチを２つ追加するののみで大きな回路を追加することなく異なる周波数を持つ複数の無線システムに対応可能なマルチモード直交変調器を実現できる。
【００３３】
また、本実施の形態ではベースバンドＬＰＦ１１をアナログ回路で実現しているが、図４に示すデジタルＬＰＦ構成を用いる場合でも実現可能である。図４に示すデジタルＬＰＦ構成ではデジタル信号１５ａ，１５ｂをタップ係数変更可能なデジタルＬＰＦ１４で帯域制限後、Ｄ／Ａ変換器１３でアナログ信号のベースバンド信号１２ａ，１２ｂに変換される。このようにデジタルＬＰＦ構成はベースバンドＬＰＦ１１と同様の作用を有する。このように、ベースバンドＬＰＦ１１をＤ／Ａ変換器１３とデジタルＬＰＦ１４とで実現することにより、ベースバンドＬＰＦ１１の小型化が可能である。
【００３４】
また、ベースバンドＬＰＦ１１を通過帯域特性を自律的に調整する構成にし、直交変調部１０を複数の無線システム共通化することにより、回路規模を増大させることなく異なる周波数を持つ複数の無線システムに対応可能とすることができる。
【００３５】
また、ベースバンドＬＰＦ１１を所望の隣接チャネル漏洩電力が得られるように通過帯域特性を調整する構成にし、直交変調部１０を複数の無線システム共通化することにより、回路規模を増大させることなく異なる周波数を持つ複数の無線システムに対応可能とすることができる。
【００３６】
また、ベースバンドＬＰＦ１１を所望の変調精度が得られるように通過帯域特性を調整する構成にし、直交変調部１０を複数の無線システム共通化することにより、回路規模を増大させることなく異なる周波数を持つ複数の無線システムに対応可能とすることができる。
【００３７】
また、ベースバンドＬＰＦ１１を送信ＯＦＦ区間に通過帯域特性を調整する構成にし、直交変調部１０を複数の無線システム共通化することにより、回路規模を増大させることなく異なる周波数を持つ複数の無線システムに対応可能とすることができる。
【００３８】
また、マルチモード無線装置に、本発明の第２の実施の形態のマルチモード直交変調器を用いることで、回路規模を増大させることなく異なる周波数を持つ複数の無線システムに対応可能なマルチモード無線装置を実現することができる。
【００３９】
【発明の効果】
以上のように本発明は、ベースバンドＬＰＦに通過帯域切替機能を備え、異なる無線周波数を持ち、ベースバンド信号の帯域が異なる複数の無線システムに対応可能な構成を有することにより、受信回路規模を大きくすることなく小型で異なる周波数を持つ複数の無線システムに対応可能とする優れたマルチモード直交変復調器及びマルチモード無線装置を提供することができるものである。
【図面の簡単な説明】
【図１】本発明の実施の形態１におけるマルチモード直交復調器を示す構成図
【図２】本発明の実施の形態１におけるベースバンドＬＰＦを示す構成図
【図３】本発明の実施の形態２におけるマルチモード直交変調器を示す構成図
【図４】本発明の実施の形態２におけるベースバンドＬＰＦを示す構成図
【符号の説明】
１　　ＩＦ信号切替スイッチ
２　　ＬＯ信号切替スイッチ
３　　直交復調部
４　　ベースバンドＬＰＦ
５　　システム切替信号
６ａ，６ｂ　ベースバンド信号
７　　Ａ／Ｄ変換器
８　　デジタルＬＰＦ
９ａ，９ｂ　デジタル信号
１０　直交変調部
１１　ベースバンドＬＰＦ
１２ａ，１２ｂ　ベースバンド信号
１３　Ｄ／Ａ変換器
１４　デジタルＬＰＦ
１５ａ，１５ｂ　デジタル信号
【図１】
2004048529.tif 000003
【図２】
2004048529.tif 000004
【図３】
2004048529.tif 000005
【図４】
2004048529.tif 000006